(57)【特許請求の範囲】
【請求項１】
長辺０．５〜２５ｍｍ、短辺５０〜５００μｍ、厚さ１〜１０μｍである生体組織標本切片が、短辺方向に密着して複数並べられてなる、生体組織標本アレイ切片。
【請求項２】
前記生体組織標本は、前記長辺方向及び前記短辺方向によって定義される面に５個／ｍｍ２以上の密度で並べられている、請求項１に記載の生体組織標本アレイ切片。
【請求項３】
病理染色の対照用である、請求項１又は２に記載の生体組織標本アレイ切片。
【請求項４】
基板と、前記基板上に積層された、請求項１〜３のいずれか一項に記載の生体組織標本アレイ切片とを備える、生体組織標本アレイ。
【請求項５】
樹脂シートと、前記樹脂シート上に積層された、請求項１〜３のいずれか一項に記載の生体組織標本アレイ切片とを備える、シート状生体組織標本アレイ。
【請求項６】
厚さ５０〜５００μｍの生体組織標本切片が、厚さ方向に密着して複数積層され、樹脂に包埋されてなる、生体組織標本ブロック。
【請求項７】
樹脂に包埋された生体組織標本を厚さ５０〜５００μｍに切断して複数の生体組織標本切片を得る工程（ａ）と、
前記生体組織標本切片の１つを液体に浮かべて基板上に載せ、温度を４５〜５０℃に調整して生体組織標本切片の伸展及び基板への密着を行い、第１層の生体組織切片を形成する工程と、前記生体組織標本切片の別の１つを液体に浮かべてろ紙上に載せ、当該生体組織標本切片が載っている部分を前記第１層の生体組織切片に重ね合わせて押し付けて密着させることを繰り返し、前記生体組織標本切片を厚さ方向に密着させて複数積層し、樹脂に包埋して生体組織標本ブロックを得る工程（ｂ）と、
を備える、生体組織標本ブロックの製造方法。
【請求項８】
前記工程（ａ）において、前記生体組織標本を３０〜５５℃の温度下で切断する、請求項７に記載の生体組織標本ブロックの製造方法。
【請求項９】
厚さ５０〜５００μｍの生体組織標本切片が、厚さ方向に密着して複数積層され、樹脂に包埋されてなる生体組織標本ブロックを、前記生体組織標本切片の厚さ方向に幅１〜１０μｍで切断する工程を備える、生体組織標本アレイ切片の製造方法。
【請求項１０】
厚さ５０〜５００μｍの生体組織標本切片が、厚さ方向に密着して複数積層され、樹脂に包埋されてなる生体組織標本ブロックを、前記生体組織標本切片の厚さ方向に幅１〜１０μｍで切断して生体組織標本アレイ切片を得る工程と、
前記生体組織標本アレイ切片を、基板上に、前記生体組織標本アレイ切片における前記生体組織標本の厚さ方向が基板と平行になるように積層する工程と、
を備える、生体組織標本アレイの製造方法。
【請求項１１】
請求項１〜３のいずれか一項に記載の生体組織標本アレイ切片を、基板上に積層する工程を備える、生体組織標本アレイの製造方法。
【請求項１２】
請求項１〜３のいずれか一項に記載の生体組織標本アレイ切片を、樹脂シート上に積層する工程を備える、シート状生体組織標本アレイの製造方法。
【発明の詳細な説明】
【技術分野】
【０００１】
本発明は、生体組織標本アレイ切片、生体組織標本アレイ、シート状生体組織標本アレイ、生体組織標本ブロック及びそれらの製造方法に関する。
【背景技術】
【０００２】
病院や研究機関等では、生体組織標本の病理染色が日常的に行われており、疾患の診断等に役立っている。
【０００３】
生体組織標本を病理染色する場合、コントロールと試験対象の生体組織標本を完全一致の条件下で染色することが好ましい。また、コントロールとして、複数の症例、複数の臓器の標本をひとまとめにした生体組織標本アレイを用いることが、染色操作の精度管理上、非常に有用である。
【０００４】
例えば、特許文献１には、シート状の組織片がロール状に巻回されて形成されたロール状組織片が、基板上にアレイ状に配列されてなる組織アレイを作製する作製方法であって、溶融した包埋剤を流し込んで貯留させる容器内に、複数のロール状組織片の軸線方向が鉛直方向を向くように保持する保持部材を配置して、保持部材に各ロール状組織片を保持させ、容器内に包埋剤を流し込んで複数のロール状組織片がアレイ状に配列されてなる基体ブロックを形成し、ロール状組織片が輪切り状となるように基体ブロックをスライスし、スライス片を基板上に設置することにより、組織アレイを作製する方法が記載されている。
【先行技術文献】
【特許文献】
【０００５】
【特許文献１】特開２０１２−３２２３８号公報
【発明の概要】
【発明が解決しようとする課題】
【０００６】
しかしながら、特許文献１に記載された方法により作製された生体組織標本アレイは、標本の集積度が限られているため専有面積が大きく、１枚のスライドガラス上に検体と共に載せることが困難な場合がある。
【０００７】
１枚のスライドガラス上に、コントロールとしての生体組織標本アレイ及び試験対象の生体組織標本を載せることができないと、両者を完全一致の条件下で染色することができず、染色の精度が十分に得られない場合がある。
【０００８】
そこで、本発明は、１枚のスライドガラス上に試験対象の生体組織標本と共に載せることが可能な、集積度の高い生体組織標本アレイ切片を提供することを目的とする。本発明はまた、生体組織標本アレイ、シート状生体組織標本アレイ、生体組織標本ブロック及びこれらの製造方法を提供することを目的とする。
【課題を解決するための手段】
【０００９】
本発明は、以下の通りである。
（１）長辺０．５〜２５ｍｍ、短辺５０〜２００μｍ、厚さ１〜１０μｍである生体組織標本切片が、短辺方向に複数並べられてなる、生体組織標本アレイ切片。
（２）前記生体組織標本は、前記長辺方向及び前記短辺方向によって定義される面に５個／ｍｍ２以上の密度で並べられている、請求項１に記載の生体組織標本アレイ切片。
（３）病理染色の対照用である、（１）又は（２）に記載の生体組織標本アレイ切片。
（４）基板と、前記基板上に積層された、（１）〜（３）のいずれかに記載の生体組織標本アレイ切片とを備える、生体組織標本アレイ。
（５）樹脂シートと、前記樹脂シート上に積層された、（１）〜（３）のいずれかに記載の生体組織標本アレイ切片とを備える、シート状生体組織標本アレイ。
（６）厚さ５０〜５００μｍの生体組織標本切片が、厚さ方向に複数積層され、樹脂に包埋されてなる、生体組織標本ブロック。
（７）樹脂に包埋された生体組織標本を厚さ５０〜５００μｍに切断して生体組織標本切片を得る工程（ａ）と、前記生体組織標本切片を厚さ方向に複数積層し、樹脂に包埋して生体組織標本ブロックを得る工程（ｂ）と、を備える、生体組織標本ブロックの製造方法。
（８）前記工程（ａ）において、前記生体組織標本を３０〜５５℃の温度下で切断する、（７）に記載の生体組織標本ブロックの製造方法。
（９）厚さ５０〜５００μｍの生体組織標本切片が、厚さ方向に複数積層され、樹脂に包埋されてなる生体組織標本ブロックを、前記生体組織標本切片の厚さ方向に幅１〜１０μｍで切断する工程を備える、生体組織標本アレイ切片の製造方法。
（１０）厚さ５０〜５００μｍの生体組織標本切片が、厚さ方向に複数積層され、樹脂に包埋されてなる生体組織標本ブロックを、前記生体組織標本切片の厚さ方向に幅１〜１０μｍで切断して生体組織標本アレイ切片を得る工程と、前記生体組織標本アレイ切片を、基板上に、前記生体組織標本アレイ切片における前記生体組織標本の厚さ方向が基板と平行になるように積層する工程と、を備える、生体組織標本アレイの製造方法。
（１１）（１）〜（３）のいずれかに記載の生体組織標本アレイ切片を、基板上に積層する工程を備える、生体組織標本アレイの製造方法。
（１２）（１）〜（３）のいずれか一項に記載の生体組織標本アレイ切片を、樹脂シート上に積層する工程を備える、シート状生体組織標本アレイの製造方法。
【発明の効果】
【００１０】
本発明によれば、１枚のスライドガラス上に試験対象の生体組織標本と共に載せることが可能な、集積度の高い生体組織標本アレイ切片を提供することができる。また、生体組織標本アレイ、シート状生体組織標本アレイ、生体組織標本ブロック及びこれらの製造方法を提供することができる。
【図面の簡単な説明】
【００１１】
【図１】１実施形態に係る生体組織標本アレイ切片の構造を示す斜視図である。
【図２】（ａ）は１実施形態に係る生体組織標本ブロックの構造を示す斜視図である。（ｂ）は、１実施形態に係る生体組織標本アレイ切片の構造を示す斜視図である。
【図３】１実施形態に係る生体組織標本アレイの構造を示す図である。
【図４】１実施形態に係るシート状生体組織標本アレイの構造を示す斜視図である。
【図５】（ａ）上段は、５０枚積層した生体組織標本切片を示す写真である。下段は、５０枚積層した生体組織標本切片を切断した状態を示す写真である。（ｂ）は、樹脂に再度包埋処理中の生体組織標本ブロックを示す写真である。
【図６】生体組織標本アレイ切片及び試験対象の生体組織標本切片（検体）を同一のスライドガラス上にのせた状態を示す写真である。
【発明を実施するための形態】
【００１２】
以下、場合により図面を参照しつつ、本発明の実施形態について詳細に説明する。なお、図面中、同一又は相当部分には同一符号を付し、重複する説明は省略する。なお、各図における寸法比は、説明のため誇張している部分があり、必ずしも実際の寸法比とは一致しない。
【００１３】
［生体組織標本アレイ切片］
１実施形態において、本発明は、長辺０．５〜２５ｍｍ、短辺５０〜２００μｍ、厚さ１〜１０μｍである生体組織標本切片が、短辺方向に複数並べられてなる、生体組織標本アレイ切片を提供する。
【００１４】
図１は、本実施形態の生体組織標本アレイ切片の構造を示す斜視図である。図１に示すように、本実施形態の生体組織標本アレイ切片１００においては、平面視において略矩形状であり複数の症例又は複数の臓器に由来する複数の生体組織標本切片１１０〜１８０が、短辺方向（図１におけるＸ方向）に並べられている。なお、ここで、平面視とは、生体組織標本アレイ切片に垂直な方向（図１におけるＺ方向）から生体組織標本切片の方向を見た状態を意味する。
【００１５】
各生体組織標本切片は、長辺（図１におけるＹ方向）が０．５〜２５ｍｍ、短辺（図１におけるＸ方向）が５０〜２００μｍ、厚さ（図１におけるＺ方向）が１〜１０μｍである。長辺は、例えば０．５〜２０ｍｍであってもよく、例えば０．５〜１５ｍｍであってもよく、例えば０．５〜１０ｍｍであってもよい。短辺は、例えば５０〜１８０μｍであってもよく、例えば５０〜１４０μｍであってもよく、例えば５０〜１００μｍであってもよい。厚さは、例えば１〜８μｍであってもよく、例えば１〜６μｍであってもよく、例えば１〜４μｍであってもよい。
【００１６】
本実施形態の生体組織標本アレイ切片において、各生体組織標本切片は、長辺方向及び短辺方向によって定義される面（図１におけるＸＹ平面）に５個／ｍｍ２以上、例えば１０個／ｍｍ２以上、例えば１５個／ｍｍ２以上、例えば２０個／ｍｍ２以上の密度で並べられていてもよい。
【００１７】
例えば、生体組織標本アレイ切片を構成する生体組織標本切片１つあたりのサイズが、長辺０．５ｍｍ、短辺５０μｍであり、全ての生体組織標本が同じサイズであると仮定すると、この場合の各生体組織標本切片は、４０個／ｍｍ２の密度で並べられている計算になる。
【００１８】
本実施形態の生体組織標本アレイ切片は、このように集積度が高いため、コントロールとして必要な生体組織標本アレイ切片の大きさを、例えば２ｍｍ×５ｍｍ程度に小さくすることができる。
【００１９】
本実施形態の生体組織標本アレイ切片は、例えば病理染色の対照用であってもよい。例えば、陽性コントロールであってもよく、陰性コントロールであってもよい。病理染色としては、免疫染色；ＰＡＳ（ｐｅｒｉｏｄｉｃ  ａｃｉｄ−ｓｃｈｉｆｆ）染色、グロコット（ｇｒｏｃｏｔｔ）染色等の特殊染色等が挙げられる。
【００２０】
本実施形態の生体組織標本アレイ切片は、集積度が高く省スペースであるため、１枚のスライドガラス上に試験対象の生体組織標本と共に載せることができる。このため、試験対象の生体組織標本と完全同一条件で同時に染色することができ、染色操作の精度管理に非常に有用である。また、省スペースであるため、染色に要する試薬コストを低減することもできる。
【００２１】
［生体組織標本アレイ切片の製造方法］
１実施形態において、本発明は、厚さ５０〜５００μｍの生体組織標本切片が、厚さ方向に複数積層され、樹脂に包埋されてなる生体組織標本ブロックを、前記生体組織標本切片の厚さ方向に幅１〜１０μｍで切断する工程を備える、生体組織標本アレイ切片の製造方法を提供する。
【００２２】
図２は、本実施形態の製造方法を説明する図である。図２（ａ）は生体組織標本ブロック２００の構造を示す斜視図である。生体組織標本ブロック２００の詳細については後述するが、生体組織標本ブロック２００は、厚さ（図２（ａ）におけるＸ方向）５０〜５００μｍの生体組織標本切片１１０〜１８０が積層されて樹脂に包埋されたものである。図２（ａ）における生体組織標本切片１１０のＸ、Ｙ及びＺ方向は、図１における生体組織標本切片１１０のＸ、Ｙ及びＺ方向と同じである。
【００２３】
本実施形態の製造方法は、生体組織標本ブロック２００を、生体組織標本切片１１０〜１８０の厚さ方向（図２（ａ）におけるＸ方向）に、幅（生体組織標本切片１１０〜１８０の長軸方向に直交する方向、図２（ａ）におけるＺ方向）１〜１０μｍで切断する工程を備える。本工程では、例えば、図２（ａ）におけるＡ−Ａ線及びＢ−Ｂ線を含むＸＹ平面において生体組織標本ブロック２００を切断する。
【００２４】
図２（ｂ）は、上記工程において切断された生体組織標本アレイ切片１００を示す斜視図である。図２（ｂ）における生体組織標本切片１１０のＸ、Ｙ及びＺ方向は、図１における生体組織標本切片１１０のＸ、Ｙ及びＺ方向と同じである。図２（ｂ）に示す生体組織標本アレイ切片１００と図１に示す生体組織標本アレイ切片１００は、同一のものであり、図２（ｂ）に示す生体組織標本アレイ切片１００の見る向きを変えたものが図１に示す生体組織標本アレイ切片１００である。より具体的には、図２（ｂ）に示す生体組織標本アレイ切片１００をＸＺ平面において時計回りに９０度回転させたものが、図１に示す生体組織標本アレイ切片１００である。
【００２５】
図２（ｂ）に示す、生体組織標本アレイ切片１００においては、複数の症例又は複数の臓器に由来する複数の生体組織標本切片１１０〜１８０が短辺方向（図２（ｂ）におけるＸ方向）に並べられている。各生体組織標本切片は、長辺（図２（ｂ）におけるＹ方向）が０．５〜２５ｍｍ、短辺（図２（ｂ）におけるＸ方向）が５０〜５００μｍ、厚さ（図２（ｂ）におけるＺ方向）が１〜１０μｍである。上記の短辺（図２（ｂ）におけるＸ方向）は、例えば５０〜４００μｍであってもよく、例えば５０〜３００μｍであってもよく、例えば５０〜２００μｍであってもよい。
【００２６】
［生体組織標本アレイ］
１実施形態において、本発明は、基板と、基板上に積層された、上記の生体組織標本アレイ切片とを備える、生体組織標本アレイを提供する。
【００２７】
図３は、本実施形態の生体組織標本アレイの構造を示す図である。本実施形態の生体組織標本アレイ３００は、基板３１０と、基板上に積層された生体組織標本アレイ切片１００とを備える。基板３１０としては、ガラス、プラスチック等を使用することができる。
【００２８】
基板３１０上に生体組織標本アレイ切片１００を積層する場合には、例えば、基板３１０の表面に、まず、シラン剤、卵白グリセリン、１％アルブミン等の剥離防止剤を塗布し、続いて、生体組織標本アレイ切片１００を積層してもよい。あるいは、基板３１０の表面に、まず、シラン剤を塗布し、その上に卵白グリセリン、１％アルブミン等を更に塗布し、続いて、生体組織標本アレイ切片１００を積層してもよい。これにより、生体組織標本アレイ切片１００が基板３１０から剥離しにくくなる。シラン剤としては、例えばＧＥヘルスケア・ジャパン社製の商品名「Ｂｉｎｄ−Ｓｉｌａｎｅ」等を使用することができる。
【００２９】
本実施形態の生体組織標本アレイ３００は、基板３１０上の生体組織標本アレイ切片１００が積層されている領域以外の領域に、試験対象の生体組織標本を載せて、当該生体組織標本及び生体組織標本アレイ切片１００に対して完全一致の条件下で同時に染色操作を行うためのものである。
【００３０】
本実施形態の生体組織標本アレイ３００は、生体組織標本アレイ切片１００が省スペースであり十分小さいにもかかわらず、コントロールとして必要な生体組織標本を高い集積度で備えているため、病理染色等の染色操作の精度管理を十分に行うことができる。
【００３１】
［生体組織標本アレイの製造方法］
１実施形態において、本発明は、厚さ５０〜５００μｍの生体組織標本切片が、厚さ方向に複数積層され、樹脂に包埋されてなる生体組織標本ブロックを、前記生体組織標本切片の厚さ方向に幅１〜１０μｍで切断して生体組織標本アレイ切片を得る工程と、前記生体組織標本アレイ切片を、基板上に、前記生体組織標本アレイ切片における前記生体組織標本の厚さ方向が基板と平行になるように積層する工程と、を備える、生体組織標本アレイの製造方法を提供する。
【００３２】
本実施形態の製造方法において、生体組織標本アレイ切片を得る工程は、図２（ａ）、図２（ｂ）を参照しながら上述したものと同様である。本工程により得られた生体組織標本アレイ切片１００を基板３１０上に積層することにより、生体組織標本アレイ３００を製造することができる。基板としては、ガラス、プラスチック等を使用することができる。ここで、生体組織標本アレイ切片１００は、生体組織標本切片１１０〜１８０の厚さ方向（図２（ｂ）におけるＸ方向）が基板と平行になるように積層する。
【００３３】
１実施形態において、本発明は、上述した生体組織標本アレイ切片を基板上に積層する工程を備える、生体組織標本アレイの製造方法を提供する。
【００３４】
すなわち、生体組織標本アレイの製造方法において、生体組織標本アレイ切片を作製する工程は必須の工程ではなく、予め作製された生体組織標本アレイ切片を用いることもできる。上述した構造を有する生体組織標本アレイ切片を基板上に積層することにより、生体組織標本アレイを製造することができる。
【００３５】
［シート状生体組織標本アレイ］
１実施形態において、本発明は、樹脂シートと、前記樹脂シート上に積層された、上記の生体組織標本アレイ切片とを備える、シート状生体組織標本アレイを提供する。
【００３６】
図４は、本実施形態のシート状生体組織標本アレイの構造を示す斜視図である。シート状生体組織標本アレイ４００は、樹脂シート４１０と、樹脂シート４１０上に積層された生体組織標本アレイ切片１００とを備える。
【００３７】
シート状生体組織標本アレイ４００は、生体組織標本アレイ切片１００の樹脂シート４１０と接する面と反対側の面上に、支持体４２０を更に備えていてもよい。
【００３８】
樹脂シート４１０の厚さは、例えば１〜１０μｍ程度である。樹脂シート４１０の材質としては、生体組織標本の包埋に通常用いられる樹脂であれば特に制限されず、例えばパラフィンが挙げられる。樹脂シート４１０は、例えば、パラフィンのブロックをミクロトーム等で厚さ１〜１０μｍ程度に切断すること等により作製することができる。
【００３９】
支持体４２０は、生体組織標本アレイ切片１００又は樹脂シート４１０よりも大きな面積を有するものであってもよい。支持体４２０としては、例えばろ紙を好適に用いることができる。ろ紙としては、病理染色で通常用いられるものを使用することができる。ろ紙の厚さは、例えば０．５〜２ｍｍ程度であってよい。
【００４０】
シート状生体組織標本アレイ４００は、樹脂シート４１０により生体組織標本アレイ切片１００が支持されているため、標本アレイ切片１００を破損することなく容易に流通させることができる。また、ガラス等の基板を含まないため、軽く、サイズも小さい。このため、場所を取らず保存も容易である。本実施形態のシート状生体組織標本アレイ４００は、例えば４℃で長期間（例えば数か月間以上）保存することができる。
【００４１】
シート状生体組織標本アレイ４００を用いることにより、生体組織標本アレイを容易に製造することができる。例えば、シラン剤、卵白グリセリン、１％アルブミン等の剥離防止剤を塗布したスライドガラス等の基板上に、シート状生体組織標本アレイ４００の生体組織標本アレイ切片１００側の面が接するように積層させることにより、生体組織標本アレイが得られる。
【００４２】
この場合、樹脂シート４１０は、病理染色時に通常行われる脱パラフィン処理により除去されるため、病理染色の妨げになることはない。
【００４３】
シート状生体組織標本アレイ４００が支持体４２０を備える場合には、例えば、シート状生体組織標本アレイ４００を水に浸すことにより、樹脂シート４１０及び生体組織標本アレイ切片１００と、支持体４２０とを容易に剥離させることができる。
【００４４】
予め作製されたシート状生体組織標本アレイ４００を使用することにより、生体組織標本アレイを製造するにあたり、生体組織標本アレイ切片を作製する労力を大幅に低減することができる。
【００４５】
本実施形態のシート状生体組織標本アレイの大きさは、ピンセット等で取り扱うことが可能であれば特に限定されず、例えば２ｍｍ×２ｍｍ〜２５ｍｍ×２５ｍｍ程度であってよい。
【００４６】
［シート状生体組織標本アレイの製造方法］
シート状生体組織標本アレイは、上記の生体組織標本アレイ切片を、樹脂シート上に積層する工程を備える製造方法により製造することができる。
【００４７】
より具体的には、まず、生体組織標本アレイ切片１００を水に浮かべ、ろ紙上にすくう。また、樹脂シート４１０（例えば厚さ６μｍのパラフィン）を水に浮かべ、別のろ紙上にすくう。続いて、生体組織標本アレイ切片１００及び樹脂シートが対向するように、上記のろ紙同士を密着させ、例えば４５℃程度に保温されたホットプレート上に載せて指で軽くプレスする。これにより、生体組織標本アレイ切片１００と樹脂シート４１０とが接着する。
【００４８】
続いて、上面側のろ紙をゆっくり剥離することにより、シート状生体組織標本アレイ４００（樹脂シート４１０及び生体組織標本アレイ切片１００）が積層されたろ紙（支持体４２０）を得ることができる。シート状生体組織標本アレイ４００はこのまま保存してもよい。
【００４９】
あるいは、シート状生体組織標本アレイ４００が積層されたろ紙を再び水に浸すと、ろ紙を剥離させ、シート状生体組織標本アレイ４００（樹脂シート４１０及び生体組織標本アレイ切片１００）のみを水に浮かべた状態にすることができるため、この状態のシート状生体組織標本アレイ４００をピンセット等で持ち上げて、新たなろ紙（支持体４２０）上に置いて乾燥させ、シート状生体組織標本アレイ４００としてもよい。
【００５０】
［生体組織標本ブロック］
１実施形態において、本発明は、厚さ５０〜５００μｍの生体組織標本切片が、厚さ方向に複数積層され、樹脂に包埋されてなる、生体組織標本ブロックを提供する。
【００５１】
図２（ａ）は生体組織標本ブロック２００の構造を示す斜視図である。生体組織標本ブロック２００は、厚さ（図２（ａ）におけるＸ方向）５０〜５００μｍの生体組織標本切片１１０〜１８０が積層されて樹脂に包埋されたものである。
【００５２】
生体組織標本切片１１０〜１８０は、患者から採取された組織を、ホルマリン固定、脱水処理、脱アルコール処理、パラフィン浸透処理した後にパラフィン包埋したものを、厚さ５０〜５００μｍに切断したものである。
【００５３】
［生体組織標本ブロックの製造方法］
１実施形態において、本発明は、樹脂に包埋された生体組織標本を厚さ５０〜５００μｍに切断して生体組織標本切片を得る工程（ａ）と、前記生体組織標本切片を厚さ方向に複数積層し、樹脂に包埋して生体組織標本ブロックを得る工程（ｂ）と、を備える、生体組織標本ブロックの製造方法を提供する。
【００５４】
まず、工程（ａ）について説明する。本工程においては、樹脂に包埋された生体組織標本を厚さ５０〜５００μｍに切断する。
【００５５】
通常の生体組織標本切片は、樹脂に包埋された生体組織標本を、ミクロトーム等の装置を用いて厚さ約３〜４μｍに切断することにより作製される。この場合においては、ミクロトームの刃の持ち上げ量を例えば４μｍに設定し、予め氷で４℃以下に冷却しておいた生体組織標本を、室温（約２５℃）に取り出した場合の温度差に起因する生体組織標本の膨張を利用して生体組織標本切片を得る。
【００５６】
ところが、本実施形態のように、厚さ５０〜５００μｍの切片を作製する場合においては、上記の通常の条件では樹脂（例えばパラフィン）の粘りがなく、切片を得ることができない。
【００５７】
発明者は、通常、生体組織標本を氷で冷却するところを、生体組織標本の温度を３０〜５５℃に調節し、生体組織標本の膨張が安定した状態で、ミクロトームの刃の持ち上げ量を５０〜１００μｍに設定して、生体組織標本切片を作製すると、生体組織標本が滑らかに削り取られ、きれいな切片が得られることを見出した。
【００５８】
生体組織標本の温度は、例えば３５〜５０℃であってもよく、例えば３５〜４５℃であってもよく、例えば４０℃であってもよい。より詳細には、例えば、生体組織標本をアルミホイルに包み、霧吹きで水をふりかけた後に、所定の温度で蒸らしてから切片を作製するとよい。
【００５９】
続いて、工程（ｂ）について説明する。本工程においては、厚さ５０〜５００μｍに切断した上記の生体組織標本切片を複数積層し、樹脂に包埋して生体組織標本ブロックを作製する。
【００６０】
まず、工程（ａ）で作製した生体組織標本切片を水に浮かべ、スライドガラス上に載せる。続いて、このスライドガラスをホットプレートの上に置き、生体組織標本切片の伸展及びガラスへの密着を行う。この生体組織標本切片は第１層を形成する。ホットプレートの温度は４５〜５０℃に設定しておく。
【００６１】
続いて、工程（ａ）で作製した生体組織標本切片を水に浮かべ、ろ紙上に載せる。続いて、生体組織標本切片が載っている部分を下向きにして、第１層の生体組織標本切片に接触するようにして重ね合わせ、ろ紙を指で軽く押しつけて、第１層の生体組織標本切片に生体組織標本切片を密着させる。ここで積層した生体組織標本切片は第２層を形成する。
【００６２】
続いて、第２層の生体組織標本切片を積層させたのと同様の操作を繰り返し、生体組織標本切片を複数積層させる。積層させる生体組織標本切片の数は特に制限されないが、例えば５０枚程度積層すると、コントロールとして非常に有用な生体組織標本ブロックを製造することができる。
【００６３】
本工程において、酸化防止及び変性防止の観点から、生体組織標本切片を浮かべる液体として、水の代わりに２０ｖ／ｖ％グリセリン溶液を用いてもよい。
【００６４】
所定の数の生体組織標本切片を積層させた後、得られた標本を切断し、不要な部分をトリミングする。
【００６５】
図５（ａ）上段は、５０枚積層した生体組織標本切片を示す写真である。図５（ａ）下段は、５０枚積層した生体組織標本切片を切断した状態を示す写真である。図５下段の最も左に位置する標本は、標本を切断した後、反時計回りに９０度回転させた状態を示す。当該標本の平面視において、図５（ａ）における左右方向に５０枚の生体組織標本が並んでいる。図５（ａ）中の点線は、予定される切断部位を示す。標本は、例えば、５ｍｍ×５ｍｍ×５ｍｍ程度の大きさに切断すると取り扱いやすい。
【００６６】
続いて、不要な部分をトリミングして形を整えた標本を、再度樹脂に包埋して生体組織標本ブロックを得る。樹脂としては、例えばパラフィンが挙げられる。図５（ｂ）は、樹脂に再度包埋処理中の生体組織標本ブロックを示す写真である。
【実施例】
【００６７】
次に実験例を示して本発明をさらに詳細に説明するが、本発明は以下の実験例に限定されるものではない。
【００６８】
厚さ５０μｍの生体組織標本切片を５０枚重ねて樹脂に包埋し、生体組織標本ブロックを製造した。続いて、生体組織標本ブロックを、生体組織標本の厚さ方向に幅４μｍで切断し、生体組織標本アレイ切片を製造した。
【００６９】
得られた生体組織標本アレイ切片は、コントロールとなる５０種の生体組織標本を含んでいた。また、省スペースであるため、試験対象の生体組織標本切片と同一のスライドガラス上に載せ、同一条件で免疫染色を行うことができた。
【００７０】
図６は、生体組織標本アレイ切片及び試験対象の生体組織標本切片（検体）を同一のスライドガラス上にのせた状態を示す写真である。
【産業上の利用可能性】
【００７１】
本発明によれば、１枚のスライドガラス上に試験対象の生体組織標本と共に載せることが可能な、集積度の高い生体組織標本アレイ切片を提供することができる。また、生体組織標本アレイ、シート状生体組織標本アレイ、生体組織標本ブロック及びこれらの製造方法を提供することができる。
【符号の説明】
【００７２】
１００…生体組織標本アレイ切片、１１０，１２０，１３０，１４０，１５０，１６０，１７０，１８０…生体組織標本切片、２００…生体組織標本ブロック、３００…生体組織標本アレイ、３１０…基板、４００…シート状生体組織標本アレイ、４１０…樹脂シート、４２０…支持体。
【図１】
0006367741.tif 000002
【図２】
0006367741.tif 000003
【図３】
0006367741.tif 000004
【図４】
0006367741.tif 000005
【図５】
0006367741.tif 000006
【図６】
0006367741.tif 000007